(57)【要約】  第１の特徴に係るユーザ端末は、アンライセンスドバンドのチャネルにおいて、上りリンク送信期間内で上りリンク信号を送信する前に、観測期間内で前記チャネルの使用状況を観測するよう規定された移動通信システムにおいて用いられる。前記ユーザ端末は、前記チャネルにおいて前記上りリンク送信期間内で前記上りリンク信号を送信する場合において、前記上りリンク送信期間の最後の一定区間又は最初の一定区間の間は前記上りリンク信号の送信を制限する送信制限を行う制御部を備える。
2016148244.tif 000002
【特許請求の範囲】
【請求項１】
アンライセンスドバンドのチャネルにおいて、上りリンク送信期間内で上りリンク信号を送信する前に、観測期間内で前記チャネルの使用状況を観測するよう規定された移動通信システムにおいて用いられるユーザ端末であって、
前記チャネルにおいて前記上りリンク送信期間内で前記上りリンク信号を送信する場合において、前記上りリンク送信期間の最後の一定区間又は最初の一定区間の間は前記上りリンク信号の送信を制限する送信制限を行う制御部を備えるユーザ端末。
【請求項２】
前記送信制限とは、前記上りリンク信号の送信停止である請求項１に記載のユーザ端末。
【請求項３】
前記一定区間は、少なくとも前記観測期間の時間長を有する請求項１に記載のユーザ端末。
【請求項４】
前記制御部は、基地局からの指示に応じて、前記送信制限を行う請求項１に記載のユーザ端末。
【請求項５】
前記制御部は、他のユーザ端末から受信する無線信号に基づいて、自律的に前記送信制限を行う請求項１に記載のユーザ端末。
【請求項６】
前記制御部は、前記送信制限を行う場合において、前記送信制限を行うことを基地局に通知する請求項５に記載のユーザ端末。
【請求項７】
前記制御部は、前記送信制限を行う場合において、前記一定区間内で送信すべき上りリンク信号を破棄するパンクチャリングを行う請求項５に記載のユーザ端末。
【請求項８】
アンライセンスドバンドのチャネルにおいて、上りリンク送信期間内で上りリンク信号を送信する前に、観測期間内で前記チャネルの使用状況を観測するよう規定された移動通信システムにおいて用いられる基地局であって、
前記上りリンク信号の送信に使用すべき上りリンク送信期間をユーザ端末に割り当てる制御部を備え、
前記制御部は、近接する複数のユーザ端末に対して、連続する複数の上りリンク送信期間を割り当てない割当制限を行う基地局。
【請求項９】
前記制御部は、近接しない複数のユーザ端末に対してのみ、連続する複数の上りリンク送信期間を割り当てる請求項８に記載の基地局。
【請求項１０】
前記制御部は、一のユーザ端末から送信される近傍端末通知に基づいて、前記一のユーザ端末に近接する他のユーザ端末を特定し、
前記近傍端末通知は、前記他のユーザ端末を特定するための端末識別情報を含む請求項８に記載の基地局。
【請求項１１】
前記制御部は、一の上りリンク送信期間を一のユーザ端末に割り当て、前記一の上りリンク送信期間の次のサブフレームを前記一のユーザ端末に近接する他のユーザ端末に割り当てる場合、前記一の上りリンク送信期間の最後の一定区間又は最初の一定区間の間は前記上りリンク信号の送信を制限するよう前記一のユーザ端末に指示する請求項８に記載の基地局。
【請求項１２】
前記制御部は、一の上りリンク送信期間と前記一の上りリンク送信期間の次の上りリンク送信期間とを前記一のユーザ端末に割り当てる場合、前記一の上りリンク送信期間について前記上りリンク信号の送信制限を行わないよう前記一のユーザ端末に指示する請求項１１に記載の基地局。
【請求項１３】
アンライセンスドバンドのチャネルにおいて無線信号を送信する前に観測期間内で前記チャネルの使用状況を観測するＬＢＴ（Ｌｉｓｔｅｎ  Ｂｅｆｏｒｅ  Ｔａｌｋ）が規定された移動通信システムにおいて用いられる通信装置であって、
通信相手装置が使用するべき前記ＬＢＴの方式又は自通信装置が使用するべき前記ＬＢＴの方式として、ＦＢＥ（Ｆｒａｍｅ  Ｂａｓｅｄ  Ｅｑｕｉｐｍｅｎｔ）及びＬＢＥ（Ｌｏａｄ  Ｂａｓｅｄ  Ｅｑｕｉｐｍｅｎｔ）のうち何れか一方の方式を選択する制御部を備える通信装置。
【請求項１４】
前記制御部は、前記通信相手装置が使用するべき前記ＬＢＴの方式を選択した場合、前記選択したＬＢＴの方式を指定するＬＢＴ設定情報を前記通信相手装置に送信する請求項１３に記載の通信装置。
【請求項１５】
前記制御部は、前記チャネルの混雑度及び／又は前記無線信号に含まれるデータの特性に基づいて、前記ＦＢＥ及び前記ＬＢＥのうち何れか一方の方式を選択する請求項１３に記載の通信装置。
【請求項１６】
前記制御部は、検出した他の通信装置が使用中の前記ＬＢＴの方式に基づいて、前記ＦＢＥ及び前記ＬＢＥのうち何れか一方の方式を選択する請求項１３に記載の通信装置。
【請求項１７】
前記制御部は、上りリンク通信の開始に応じて、前記ＦＢＥを選択する請求項１３に記載の通信装置。
【請求項１８】
ＴＤＤ（Ｔｉｍｅ  Ｄｉｖｉｓｉｏｎ  Ｄｕｐｌｅｘ）において、上りリンクから下りリンクへトラフィックを切り替える場合に、前記上りリンクのトラフィック終了後から前記下りリンクのトラフィックの開始までに、チャネルの使用状況を観測するためにデータの送受信を禁止する期間を設定する制御部を備える基地局。
【請求項１９】
前記制御部は、前記禁止期間を設ける場合、前記上りリンクのトラフィックに用いられるサブフレームの一部のシンボルを削除するか又は前記下りリンクのトラフィックに用いられるサブフレームの一部のシンボルを削除する請求項１８に記載の基地局。
【請求項２０】
前記上りリンクのトラフィックに用いられるサブフレームの一部のシンボルは、当該サブフレームの最後のシンボルである請求項１９に記載の基地局。
【請求項２１】
前記下りリンクのトラフィックに用いられるサブフレームの一部のシンボルは、当該サブフレームの最初のシンボルである請求項１９に記載の基地局。
【請求項２２】
複数のユーザ端末から、ユーザ端末及び／又は基地局からの信号の測定結果を受信する受信部と、
当該測定結果に基づいて、マルチユーザＭＩＭＯ（Ｍｕｌｔｉｐｌｅ  Ｉｎｐｕｔ  Ｍｕｌｔｉｐｌｅ  Ｏｕｔｐｕｔ）のペアとなる２つのユーザ端末を選択する制御部と、を備える基地局。
【請求項２３】
前記制御部は、前記複数のユーザ端末のうち、前記測定結果に含まれる前記ユーザ端末及び／又は前記基地局が互いに重複しない２つのユーザ端末を前記マルチユーザＭＩＭＯのペアとして選択する請求項２２に記載の基地局。
【請求項２４】
前記制御部は、前記複数のユーザ端末のうち、前記測定結果に含まれる前記ユーザ端末及び／又は前記基地局の重複する割合が最も低い２つのユーザ端末を前記マルチユーザＭＩＭＯのペアとして選択する請求項２２に記載の基地局。
【発明の詳細な説明】
【技術分野】
【０００１】
本発明は、移動通信システムにおいて用いられるユーザ端末、基地局、及び通信装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）においては、急増するトラフィック需要に応えるべく、ＬＴＥ（Ｌｏｎｇ  Ｔｅｒｍ  Ｅｖｏｌｕｔｉｏｎ）を高度化する試みが進められている。【０００３】
そのような試みの一つとして、オペレータに免許が付与された周波数帯（ライセンスドバンド）だけではなく、免許が不要な周波数帯（アンライセンスドバンド）もＬＴＥ通信に使用することが検討されている。【０００４】
アンライセンスドバンドにおいては、ＬＴＥシステムとは異なる他システム（無線ＬＡＮ等）又は他オペレータのＬＴＥシステムとの干渉を回避するために、ｌｉｓｔｅｎ−ｂｅｆｏｒｅ−ｔａｌｋ（ＬＢＴ）手順が要求される。【０００５】
ＬＢＴ手順は、アンライセンスドバンドの周波数チャネル（キャリア）が空いているか否かを受信電力（干渉電力）に基づいて確認し、空きチャネル（ｃｌｅａｒ  ｃｈａｎｎｅｌ）であることが確認された場合に限り当該チャネルを使用する手順である（非特許文献１参照）。
【先行技術文献】
【非特許文献】
【０００６】
【非特許文献１】３ＧＰＰ技術報告書  「ＴＲ３６．８８９  V０．１．１」  ２０１４年１１月
【発明の概要】
【０００７】
第１の特徴に係るユーザ端末は、アンライセンスドバンドのチャネルにおいて、上りリンク送信期間内で上りリンク信号を送信する前に、観測期間内で前記チャネルの使用状況を観測するよう規定された移動通信システムにおいて用いられる。前記ユーザ端末は、前記チャネルにおいて前記上りリンク送信期間内で前記上りリンク信号を送信する場合において、前記上りリンク送信期間の最後の一定区間又は最初の一定区間の間は前記上りリンク信号の送信を制限する送信制限を行う制御部を備える。
【０００８】
第２の特徴に係る基地局は、アンライセンスドバンドのチャネルにおいて、上りリンク送信期間内で上りリンク信号を送信する前に、観測期間内で前記チャネルの使用状況を観測するよう規定された移動通信システムにおいて用いられる。前記基地局は、前記上りリンク信号の送信に使用すべき上りリンク送信期間をユーザ端末に割り当てる制御部を備える。前記制御部は、近接する複数のユーザ端末に対して、連続する複数の上りリンク送信期間を割り当てない割当制限を行う。
【０００９】
第３の特徴に係る通信装置は、アンライセンスドバンドのチャネルにおいて無線信号を送信する前に観測期間内で前記チャネルの使用状況を観測するＬＢＴ（Ｌｉｓｔｅｎ  Ｂｅｆｏｒｅ  Ｔａｌｋ）が規定された移動通信システムにおいて用いられる。前記通信装置は、通信相手装置が使用するべき前記ＬＢＴの方式又は自通信装置が使用するべき前記ＬＢＴの方式として、ＦＢＥ（Ｆｒａｍｅ  Ｂａｓｅｄ  Ｅｑｕｉｐｍｅｎｔ）及びＬＢＥ（Ｌｏａｄ  Ｂａｓｅｄ  Ｅｑｕｉｐｍｅｎｔ）のうち何れか一方の方式を選択する制御部を備える。
【００１０】
第４の特徴に係る基地局は、ＴＤＤ（Ｔｉｍｅ  Ｄｉｖｉｓｉｏｎ  Ｄｕｐｌｅｘ）において、上りリンクから下りリンクへトラフィックを切り替える場合に、上りリンクのトラフィック終了後から下りリンクのトラフィックの開始までに、チャネルの使用状況を観測するためにデータの送受信を禁止する期間を設定する制御部を備える。
【００１１】
第５の特徴に係る基地局は、複数のユーザ端末から、ユーザ端末及び／又は基地局からの信号の測定結果を受信する受信部と、当該測定結果に基づいて、マルチユーザＭＩＭＯ（Ｍｕｌｔｉｐｌｅ  Ｉｎｐｕｔ  Ｍｕｌｔｉｐｌｅ  Ｏｕｔｐｕｔ）のペアとなる２つのユーザ端末を選択する制御部と、を備える。
【図面の簡単な説明】
【００１２】
【図１】実施形態に係る移動通信システム（ＬＴＥシステム）の構成図である。
【図２】実施形態に係る無線インターフェイスのプロトコルスタック図である。
【図３】実施形態に係る無線フレームの構成図である。
【図４】実施形態に係るＬＡＡを説明するための図である。
【図５】実施形態に係るＬＢＴを説明するための図である。
【図６】実施形態に係るＵＥ（ユーザ端末）のブロック図である。
【図７】実施形態に係るｅＮＢ（基地局）のブロック図である。
【図８】第１実施形態に係るＵＥ１００の動作を説明するための図である。
【図９】第１実施形態に係る動作シーケンスの一例を示す図である。
【図１０】第２実施形態に係る動作シーケンスの一例を示す図である。
【図１１】第２実施形態に係るｅＮＢにおけるスケジューリング動作の一例を示すフロー図である。
【図１２】第２実施形態の変更例１に係る動作を説明するための図である。
【図１３】第２実施形態の変更例１に係るｅＮＢにおけるスケジューリング動作の一例を示すフロー図である。
【図１４】第４実施形態に係るｅＮＢの動作例１を示すフロー図である。
【図１５】第４実施形態に係るｅＮＢの動作例２を示すフロー図である。
【図１６】第４実施形態に係るｅＮＢの動作例３を示すフロー図である。
【図１７】第５実施形態を示す図である。
【図１８】第６実施形態を示す図である。
【図１９】付記に係るＵＬ送信の遅延の例を示す図である。
【図２０】付記に係る提案するＵＬグラントの例を示す図である。
【図２１】付記に係る２つのＵＥ間の連続する送信の例を示す図である。
【図２２】付記に係るＤＬからＵＬへの切り替え及びＵＬからＤＬへの切り替えを示す図である。
【図２３】付記に係るＬＡＡのための周波数領域における多重化の例を示す図である。
【図２４】付記に係るＭＵ−ＭＩＭＯのために適切ではないペアの例を示す図である。
【図２５】付記に係るＭＵ−ＭＩＭＯのための提案する測定報告を示す図である。
【発明を実施するための形態】
【００１３】
［実施形態の概要］
アンライセンスドバンドを使用するＬＴＥ通信は、下りリンクに限らず、上りリンクにも適用され得る。アンライセンスドバンドのチャネルにおいて上りリンク通信を行うユーザ端末は、上りリンク送信を基地局に送信する前に、観測期間内で当該チャネルの使用状況を観測することが必要である。
【００１４】
そこで、実施形態は、移動通信システムにおいてアンライセンスドバンドを使用して通信を適切に行うことを可能とすることを目的とする。
【００１５】
第１実施形態乃至第３実施形態に係るユーザ端末は、アンライセンスドバンドのチャネルにおいて、上りリンク送信期間内で上りリンク信号を送信する前に、観測期間内で前記チャネルの使用状況を観測するよう規定された移動通信システムにおいて用いられる。前記ユーザ端末は、前記チャネルにおいて前記上りリンク送信期間内で前記上りリンク信号を送信する場合において、前記上りリンク送信期間の最後の一定区間又は最初の一定区間の間は前記上りリンク信号の送信を制限する送信制限を行う制御部を備える。
【００１６】
第１実施形態乃至第３実施形態において、前記送信制限とは、前記上りリンク信号の送信停止であってもよい。
【００１７】
第１実施形態乃至第３実施形態において、前記一定区間は、少なくとも前記観測期間の時間長を有してもよい。
【００１８】
第２実施形態において、前記制御部は、基地局からの指示に応じて、前記送信制限を行ってもよい。
【００１９】
第３実施形態において、前記制御部は、他のユーザ端末から受信する無線信号に基づいて、自律的に前記送信制限を行ってもよい。
【００２０】
第３実施形態において、前記制御部は、前記送信制限を行う場合において、前記送信制限を行うことを基地局に通知してもよい。
【００２１】
第３実施形態において、前記制御部は、前記送信制限を行う場合において、前記一定区間内で送信すべき上りリンク信号を破棄するパンクチャリングを行ってもよい。
【００２２】
第２実施形態に係る基地局は、アンライセンスドバンドのチャネルにおいて、上りリンク送信期間内で上りリンク信号を送信する前に、観測期間内で前記チャネルの使用状況を観測するよう規定された移動通信システムにおいて用いられる。前記基地局は、前記上りリンク信号の送信に使用すべき上りリンク送信期間をユーザ端末に割り当てる制御部を備える。前記制御部は、近接する複数のユーザ端末に対して、連続する複数の上りリンク送信期間を割り当てない割当制限を行う。
【００２３】
第２実施形態において、前記制御部は、近接しない複数のユーザ端末に対してのみ、連続する複数の上りリンク送信期間を割り当ててもよい。
【００２４】
第２実施形態において、前記制御部は、一のユーザ端末から送信される近傍端末通知に基づいて、前記一のユーザ端末に近接する他のユーザ端末を特定する。前記近傍端末通知は、前記他のユーザ端末を特定するための端末識別情報を含む。
【００２５】
第２実施形態において、前記制御部は、一の上りリンク送信期間を一のユーザ端末に割り当て、前記一の上りリンク送信期間の次のサブフレームを前記一のユーザ端末に近接する他のユーザ端末に割り当てる場合、前記一の上りリンク送信期間の最後の一定区間又は最初の一定区間の間は前記上りリンク信号の送信を制限するよう前記一のユーザ端末に指示してもよい。
【００２６】
第２実施形態において、前記制御部は、一の上りリンク送信期間と前記一の上りリンク送信期間の次の上りリンク送信期間とを前記一のユーザ端末に割り当てる場合、前記一の上りリンク送信期間について前記上りリンク信号の送信制限を行わないよう前記一のユーザ端末に指示してもよい。
【００２７】
第４実施形態に係る通信装置は、アンライセンスドバンドのチャネルにおいて無線信号を送信する前に観測期間内で前記チャネルの使用状況を観測するＬＢＴ（Ｌｉｓｔｅｎ  Ｂｅｆｏｒｅ  Ｔａｌｋ）が規定された移動通信システムにおいて用いられる。前記通信装置は、通信相手装置が使用するべき前記ＬＢＴの方式又は自通信装置が使用するべき前記ＬＢＴの方式として、ＦＢＥ（Ｆｒａｍｅ  Ｂａｓｅｄ  Ｅｑｕｉｐｍｅｎｔ）及びＬＢＥ（Ｌｏａｄ  Ｂａｓｅｄ  Ｅｑｕｉｐｍｅｎｔ）のうち何れか一方の方式を選択する制御部を備える。
【００２８】
第４実施形態において、前記制御部は、前記通信相手装置が使用するべき前記ＬＢＴの方式を選択した場合、前記選択したＬＢＴの方式を指定するＬＢＴ設定情報を前記通信相手装置に送信してもよい。
【００２９】
第４実施形態において、前記制御部は、前記チャネルの混雑度及び／又は前記無線信号に含まれるデータの特性に基づいて、前記ＦＢＥ及び前記ＬＢＥのうち何れか一方の方式を選択してもよい。
【００３０】
第４実施形態において、前記制御部は、検出した他の通信装置が使用中の前記ＬＢＴの方式に基づいて、前記ＦＢＥ及び前記ＬＢＥのうち何れか一方の方式を選択してもよい。
【００３１】
第４実施形態において、前記制御部は、上りリンク通信の開始に応じて、前記ＦＢＥを選択してもよい。
【００３２】
第５実施形態に係る基地局は、ＴＤＤ（Ｔｉｍｅ  Ｄｉｖｉｓｉｏｎ  Ｄｕｐｌｅｘ）において、上りリンクから下りリンクへトラフィックを切り替える場合に、上りリンクのトラフィック終了後から下りリンクのトラフィックの開始までに、チャネルの使用状況を観測するためにデータの送受信を禁止する期間を設定する制御部を備える。
【００３３】
第５実施形態において、前記制御部は、前記禁止期間を設ける場合、前記上りリンクのトラフィックに用いられるサブフレームの一部のシンボルを削除するか又は前記下りリンクのトラフィックに用いられるサブフレームの一部のシンボルを削除してもよい。
【００３４】
第５実施形態において、前記上りリンクのトラフィックに用いられるサブフレームの一部のシンボルは、当該サブフレームの最後のシンボルであってもよい。
【００３５】
第５実施形態において、前記下りリンクのトラフィックに用いられるサブフレームの一部のシンボルは、当該サブフレームの最初のシンボルであってもよい。
【００３６】
第６実施形態に係る基地局は、複数のユーザ端末から、ユーザ端末及び／又は基地局からの信号の測定結果を受信する受信部と、当該測定結果に基づいて、マルチユーザＭＩＭＯ（Ｍｕｌｔｉｐｌｅ  Ｉｎｐｕｔ  Ｍｕｌｔｉｐｌｅ  Ｏｕｔｐｕｔ）のペアとなる２つのユーザ端末を選択する制御部と、を備える。
【００３７】
第６実施形態において、前記制御部は、前記複数のユーザ端末のうち、前記測定結果に含まれる前記ユーザ端末及び／又は前記基地局が互いに重複しない２つのユーザ端末を前記マルチユーザＭＩＭＯのペアとして選択してもよい。
【００３８】
第６実施形態において、前記制御部は、前記複数のユーザ端末のうち、前記測定結果に含まれる前記ユーザ端末及び／又は前記基地局の重複する割合が最も低い２つのユーザ端末を前記マルチユーザＭＩＭＯのペアとして選択してもよい。
【００３９】
［実施形態に係る移動通信システム］
（システム構成）
以下において、実施形態に係る移動通信システムであるＬＴＥシステムについて説明する。図１は、ＬＴＥシステムの構成を示す図である。
【００４０】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００４１】
ＵＥ１００は、ユーザ端末に相当する。ＵＥ１００は、移動型の通信装置であり、セル（サービングセル）との無線通信を行う。ＵＥ１００の構成については後述する。
【００４２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００４３】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００４４】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００４５】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００４７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４９】
ＰＤＣＰ層は、ヘッダ圧縮・伸張、及び暗号化・復号化を行う。
【００５０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００５１】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００５２】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５３】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００５４】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００５５】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００５６】
（アンライセンスドバンド）
実施形態に係るＬＴＥシステムは、オペレータに免許が付与されたライセンスドバンドだけではなく、免許が不要なアンライセンスドバンドもＬＴＥ通信に使用する。具体的には、ライセンスドバンドの補助によりアンライセンスドバンドにアクセス可能とする。このような仕組みは、ｌｉｃｅｎｓｅｄ−ａｓｓｉｓｔｅｄ  ａｃｃｅｓｓ（ＬＡＡ）と称される。
【００５７】
図４は、ＬＡＡを説明するための図である。図４に示すように、ｅＮＢ２００は、ライセンスドバンドで運用されるセル＃１と、アンライセンスドバンドで運用されるセル＃２と、を管理している。図４において、セル＃１がマクロセルであり、セル＃２が小セルである一例を図示しているが、セルサイズはこれに限定されない。
【００５８】
ＵＥ１００は、セル＃１及びセル＃２の重複エリアに位置する。ＵＥ１００は、セル＃１をプライマリセル（ＰＣｅｌｌ）として設定しつつ、セル＃２をセカンダリセル（ＳＣｅｌｌ）として設定し、キャリアアグリゲーション（ＣＡ）による通信を行う。
【００５９】
図４の例では、ＵＥ１００は、上りリンク通信及び下りリンク通信をセル＃１と行い、上りリンク通信及び下りリンク通信をセル＃２と行う。このようなキャリアアグリゲーションにより、ＵＥ１００には、ライセンスドバンドの無線リソースに加えて、アンライセンスドバンドの無線リソースが提供されるため、スループットを向上させることができる。
【００６０】
実施形態においては、セル＃２（アンライセンスドバンド）における上りリンク通信について主として説明する。
【００６１】
（ＬＢＴ）
アンライセンスドバンドにおいて、ＬＴＥシステムとは異なる他システム（無線ＬＡＮ等）又は他オペレータのＬＴＥシステムとの干渉を回避するために、ｌｉｓｔｅｎ−ｂｅｆｏｒｅ−ｔａｌｋ（ＬＢＴ）手順が要求される。ＬＢＴ手順は、アンライセンスドバンドのチャネル（キャリア）が空いているか否かを受信電力（干渉電力）に基づいて確認し、空きチャネル（ｃｌｅａｒ  ｃｈａｎｎｅｌ）であることが確認された場合に限り当該チャネルを使用する手順である。
【００６２】
実施形態において、ＵＥ１００は、アンライセンスドバンドのチャネルにおいて無線信号（制御信号又はデータ）を送信する前に、所定の時間長を有する観測期間内で当該チャネルの使用状況を観測し、当該チャネルが空きチャネルであるか否かを確認する。以下において、観測期間を「ＬＢＴ期間」と称する。
【００６３】
図５は、実施形態に係るＬＢＴを説明するための図である。実施形態において、ＬＢＴの一方式であるＦＢＥ（Ｆｒａｍｅ  Ｂａｓｅｄ  Ｅｑｕｉｐｍｅｎｔ）を主として説明する。ＦＢＥは、需要主導型（ｄｅｍａｎｄ−ｄｒｉｖｅｎ）ではなく、タイミングが固定された方式である。これに対し、ＬＢＴの他方式であるＬＢＥ（Ｌｏａｄ  Ｂａｓｅｄ  Ｅｑｕｉｐｍｅｎｔ）は、タイミングが固定されておらず、需要主導型（ｄｅｍａｎｄ−ｄｒｉｖｅｎ）の方式である。
【００６４】
ｅＮＢ２００は、アンライセンスドバンドのチャネルにおける上りリンク送信に使用するべき上りリンク送信期間をＵＥ１００に割り当てる。実施形態において、上りリンク送信期間とは、上りリンクサブフレームである。具体的には、ｅＮＢ２００は、少なくとも１つの上りリンクサブフレーム（候補サブフレーム）を示す割当サブフレーム情報をＵＥ１００に送信する。なお、実施形態においては、アンライセンスドバンドのチャネルについて周波数方向のスケジューリングを行わず、当該チャネルの全帯域を使用して上りリンク送信を行う場合を想定する。
【００６５】
図５に示すように、ＵＥ１００は、割り当てられた上りリンクサブフレームの直前のＬＢＴ期間内で、アンライセンスドバンドのチャネルの使用状況を観測する。ＬＢＴ期間は、例えば２０［μｓ］以上である。ＵＥ１００は、ＬＢＴ期間内で所定量以上の受信電力（干渉電力）を検知した場合に、当該チャネルが使用中であると判断し、当該チャネルを使用しない。
【００６６】
これに対し、ＬＢＴ期間内で所定量以上の受信電力（干渉電力）を検知しない場合、ＵＥ１００は、当該チャネルが空き（ｃｌｅａｒ）であると判断し、上りリンク送信期間（チャネル占有期間）だけ当該チャネルを使用して送信を行う。チャネル占有期間は、例えば１［ｍｓ］乃至１０［ｍｓ］の範囲内である。実施形態において、チャネル占有期間は、１サブフレームに相当する１［ｍｓ］の時間長を有する。或いは、チャネル占有期間は、ｎサブフレーム（ｎ≧２）に相当するｎ［ｍｓ］の時間長を有してもよい。チャネル占有期間の経過後のアイドル期間内で、ＵＥ１００は上りリンク送信を行わない。アイドル期間は、例えばチャネル占有期間の５％よりも長い期間である。
【００６７】
（ユーザ端末）
以下において、実施形態に係るＵＥ１００（ユーザ端末）について説明する。図６は、ＵＥ１００のブロック図である。図６に示すように、ＵＥ１００は、受信部１１０、送信部１２０、及び制御部１３０を備える。
【００６８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、ライセンスドバンドにおいて無線信号を受信する第１の受信機と、アンライセンスドバンドにおいて無線信号を受信する第２の受信機と、を含んでもよい。
【００６９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、ライセンスドバンドにおいて無線信号を送信する第１の送信機と、アンライセンスドバンドにおいて無線信号を送信する第２の送信機と、を含んでもよい。
【００７０】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００７１】
（基地局）
以下において、ｅＮＢ２００（基地局）の構成について説明する。図７は、ｅＮＢ２００のブロック図である。図７に示すように、ｅＮＢ２００は、送信部２１０、受信部２２０、制御部２３０、及びバックホール通信部２４０を備える。
【００７２】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。送信部２１０は、ライセンスドバンドにおいて無線信号を送信する第１の送信機と、アンライセンスドバンドにおいて無線信号を送信する第２の送信機と、を含んでもよい。
【００７３】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、ライセンスドバンドにおいて無線信号を受信する第１の受信機と、アンライセンスドバンドにおいて無線信号を受信する第２の受信機と、を含んでもよい。
【００７４】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００７５】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００７６】
［第１実施形態］
（ユーザ端末の動作）
以下において、第１実施形態に係るＵＥ１００（ユーザ端末）の動作について説明する。図８は、第１実施形態に係るＵＥ１００の動作を説明するための図である。
【００７７】
図８（Ａ）に示すように、アンライセンスドバンドのチャネルにおいて、上りリンクサブフレーム＃１内でＵＥ１００−１が上りリンク信号（データ）を送信した後、上りリンクサブフレーム＃１に連続（後続）する上りリンクサブフレーム＃２内でＵＥ１００−２が上りリンク信号（データ）を送信するシナリオを想定する。図８において、上りリンク送信がデータである一例を図示しているが、上りリンク送信が制御信号を含んでもよい。
【００７８】
図８（Ａ）に示すシナリオにおいて、ＵＥ１００−１及びＵＥ１００−２が互いに近接している場合、ＵＥ１００−２は、上りリンクサブフレーム＃２の前のＬＢＴ期間内でＵＥ１００−１の上りリンク信号を観測し、当該チャネルが使用中であると判断する。よって、ＵＥ１００−２は、上りリンクサブフレーム＃２をｅＮＢ２００から割り当てられても、上りリンクサブフレーム＃２を使用して上りリンク信号を送信することができない。
【００７９】
そこで、図８（Ｂ）に示すように、第１実施形態に係るＵＥ１００−１の制御部１３０は、アンライセンスドバンドのチャネルにおいて上りリンクサブフレーム＃１内で上りリンク信号を送信する場合において、上りリンクサブフレーム＃１の最後の一定区間（以下、「制限区間」と称する）の間は上りリンク信号の送信を制限する送信制限を行う。これにより、ＵＥ１００−２は、自身がＵＥ１００−１と近接していても、上りリンクサブフレーム＃２の前のＬＢＴ期間内でＵＥ１００−１の上りリンク信号を観測せず、当該チャネルが空きチャネル（ｃｌｅａｒ  ｃｈｅｎｎｅｌ）であると判断する。よって、上りリンクサブフレーム＃２をｅＮＢ２００から割り当てられたＵＥ１００−２は、上りリンクサブフレーム＃２を使用して上りリンク信号を送信することができる。
【００８０】
第１実施形態において、上りリンク信号の送信制限とは、上りリンク信号（データ）の送信停止である。例えば、ＵＥ１００−１の制御部１３０は、制限区間内にデータを配置せず、非制限区間内にデータを配置する。或いは、上りリンク信号の送信制限とは、制限区間内の上りリンク信号（データ）の送信電力を、非制限区間に比べて非常に小さくすることであってもよい。
【００８１】
第１実施形態において、制限区間は、少なくともＬＢＴ期間の時間長を有する。制限区間の時間長は、ＬＢＴ期間の時間長（例えば２０［μｓ］）と同じであってもよい。
【００８２】
後述するように、ＵＥ１００−１の制御部１３０は、ｅＮＢ２００からの指示に応じて、上述した送信制限を行ってもよい。
【００８３】
（動作シーケンスの一例）
以下において、図４に示す動作環境を前提として、第１実施形態に係る動作シーケンスの一例について説明する。図９は、第１実施形態に係る動作シーケンスの一例を示す図である。
【００８４】
図９に示すように、ステップＳ１１において、ｅＮＢ２００は、ライセンスドバンドで運用されるセル＃１を介して、割当サブフレーム情報をＵＥ１００に送信する。ＵＥ１００は、割当サブフレーム情報を受信する。割当サブフレーム情報は、アンライセンスドバンド・チャネルにおける割当上りリンクサブフレームを示す情報である。割当上りリンクサブフレームは、個別ＲＲＣメッセージ又はＰＤＣＣＨによりｅＮＢ２００からＵＥ１００に送信される。
【００８５】
ステップＳ１２において、ＵＥ１００は、アンライセンスドバンド・チャネルを観測（ＬＢＴ）することにより、割当サブフレーム情報が示す上りリンクサブフレームを使用するか否かを判断する。ここでは、ＵＥ１００が、割当サブフレーム情報が示す上りリンクサブフレームを使用すると判断したと仮定して、説明を進める。
【００８６】
ステップＳ１３において、ＵＥ１００は、割当サブフレーム情報が示す上りリンクサブフレームにおいて、アンライセンスドバンド・チャネルを介して上りリンク信号をｅＮＢ２００に送信する。ＵＥ１００は、アンライセンスドバンド・チャネルの全帯域を使用して上りリンク信号を送信してもよい。ここで、ＵＥ１００は、当該上りリンクサブフレームの最後の一定区間（制限区間）の間は上りリンク信号の送信を制限する。ｅＮＢ２００は、セル＃２（アンライセンスドバンド）を介して上りリンク信号を受信する。
【００８７】
［第２実施形態］
第２実施形態について、第１実施形態との相違点を主として説明する。
【００８８】
（第２実施形態に係る動作）
以下において、第２実施形態に係る動作について説明する。
【００８９】
図８を参照して説明したように、ＵＥ１００−１及びＵＥ１００−２が互いに近接（隣接）している場合、ＵＥ１００−２は、上りリンクサブフレームをｅＮＢ２００から割り当てられても、当該上りリンクサブフレームの前のＬＢＴ期間内でＵＥ１００−１の上りリンク信号を観測するため、当該上りリンクサブフレームを使用して上りリンク信号を送信することができない。
【００９０】
一方、ＵＥ１００−１及びＵＥ１００−２が互いに近接（隣接）していない場合には、ＵＥ１００−２は、当該上りリンクサブフレームの前のＬＢＴ期間内でＵＥ１００−１の上りリンク信号を観測しない。或いは、ＵＥ１００−２は、ＵＥ１００−１の上りリンク信号を観測しても、当該上りリンク信号の受信電力は非常に小さいため、ＬＢＴをパスし得る。このため、ＵＥ１００−２は、当該上りリンクサブフレームを使用して上りリンク信号を送信することができる。
【００９１】
よって、第２実施形態においては、ｅＮＢ２００におけるスケジューリングにより、連続する上りリンクサブフレームを複数のＵＥ１００に適切に割当可能とする。
【００９２】
第２実施形態に係るｅＮＢ２００の制御部２３０は、上りリンク信号（データ）の送信に使用すべき上りリンクサブフレームをＵＥ１００に割り当てる。制御部２３０は、近接する複数のＵＥ１００に対して、連続する複数の上りリンクサブフレームを割り当てない割当制限を行う。換言すると、制御部２３０は、近接しない複数のＵＥ１００に対してのみ、連続する複数の上りリンクサブフレームを割り当てる。
【００９３】
第２実施形態において、ｅＮＢ２００の制御部２３０は、一のＵＥ１００から送信される近傍ＵＥ通知（近傍端末通知）に基づいて、当該一のＵＥ１００に近接する他のＵＥ１００を特定する。近傍ＵＥ通知は、当該他のＵＥ１００を特定するためのＵＥ識別情報（端末識別情報）を含む。
【００９４】
（動作シーケンスの一例）
以下において、第２実施形態に係る動作シーケンスの一例について説明する。図１０は、第２実施形態に係る動作シーケンスの一例を示す図である。
【００９５】
図１０（Ａ）に示すように、ステップＳ２１において、ＵＥ１００−２は、アンライセンスドバンド・チャネル（セル＃２）を介して上りリンク信号をｅＮＢ２００に送信する。図１０（Ｂ）に示すように、上りリンク信号（データ）には、ＬＴＥヘッダ（ＬＴＥ  ｈｅａｄｅｒ）が付加されている。「ＬＴＥ  ｈｅａｄｅｒ」は、ＵＥ１００−２を識別するためのＵＥ識別情報を含む。「ＬＴＥ  ｈｅａｄｅｒ」は、ＵＥ１００−２が属するオペレータを識別するためのオペレータ識別情報、ＵＥ１００−２が在圏するセルを識別するためのセル識別情報、のうち少なくとも１つをさらに含んでもよい。ＵＥ１００−２は、ｅＮＢ２００からの指示に応じて「ＬＴＥ  ｈｅａｄｅｒ」を送信してもよい。当該指示は、「ＬＴＥ  ｈｅａｄｅｒ」の周期的な送信を指示するものであってもよい。
【００９６】
ステップＳ２２において、ＵＥ１００−１は、「ＬＴＥ  ｈｅａｄｅｒ」をスキャンし、「ＬＴＥ  ｈｅａｄｅｒ」の受信を試みる。ＵＥ１００−１は、上りリンク送信の送信が必要になったことに応じて、「ＬＴＥ  ｈｅａｄｅｒ」をスキャンしてもよい。或いは、ＵＥ１００−１は、ｅＮＢ２００からの指示に応じて「ＬＴＥ  ｈｅａｄｅｒ」をスキャンしてもよい。ここでは、ＵＥ１００−１がＵＥ１００−２の「ＬＴＥ  ｈｅａｄｅｒ」を検知したと仮定して、説明を進める。
【００９７】
ステップＳ２３において、ＵＥ１００−１は、検知した「ＬＴＥ  ｈｅａｄｅｒ」中の情報を含む近傍ＵＥ通知をｅＮＢ２００（セル＃１）に送信する。近傍ＵＥ通知は、ＭＡＣ層のシグナリングである「ＭＡＣ  Ｃｏｎｔｒｏｌ  Ｅｌｅｍｅｎｔ（ＭＣＥ）」に含まれてもよい。或いは、近傍ＵＥ通知は、ＲＲＣ層のシグナリングに含まれてもよい。
【００９８】
ステップＳ２４において、ｅＮＢ２００は、近傍ＵＥ通知に基づいてスケジューリングを行う。ここで、ｅＮＢ２００は、ＵＥ１００−１から送信される近傍ＵＥ通知に基づいて、ＵＥ１００−１に近接するＵＥ１００−２を特定する。そして、ｅＮＢ２００は、近接する複数のＵＥ１００（ＵＥ１００−１、ＵＥ１００−２）に対して、連続する複数の上りリンクサブフレームを割り当てない割当制限を行う。
【００９９】
ステップＳ２５において、ｅＮＢ２００は、ＵＥ１００−１に割り当てた上りリンクサブフレームを示す割当サブフレーム情報をＵＥ１００−１に送信する。また、ステップＳ２６において、ｅＮＢ２００は、ＵＥ１００−２に割り当てた上りリンクサブフレームを示す割当サブフレーム情報をＵＥ１００−２に送信する。ＵＥ１００−１及びＵＥ１００−２が互いに近接する場合、ＵＥ１００−１及びＵＥ１００−２には、連続しない上りリンクサブフレームが割り当てられる。
【０１００】
図１１は、第２実施形態に係るｅＮＢ２００におけるスケジューリング動作（図１０のステップＳ２４）の一例を示すフロー図である。本フローの前提として、ｅＮＢ２００は、近接（隣接）する複数のＵＥ１００の情報である隣接ＵＥ情報を管理している。ここでは、ｅＮＢ２００が、一の上りリンクサブフレームを一のＵＥ１００に割り当てた後、当該一の上りリンクサブフレームの次の上りリンクサブフレームをどのＵＥ１００に割り当てるかを判断する場合を想定する。
【０１０１】
図１１に示すように、ステップＳ２４１において、ｅＮＢ２００は、当該一のＵＥ１００の隣接ＵＥ情報を読み出す。
【０１０２】
ステップＳ２４２において、ｅＮＢ２００は、隣接ＵＥ情報に含まれないＵＥ１００に、当該一の上りリンクサブフレームの次の上りリンクサブフレームを割り当てる。
【０１０３】
［第２実施形態の変更例１］
第２実施形態の変更例１において、ｅＮＢ２００は、第２実施形態に係る動作に加えて、次のような動作を行う。具体的には、ｅＮＢ２００の制御部２３０は、一の上りリンクサブフレームを一のＵＥ１００に割り当て、当該一の上りリンクサブフレームの次のサブフレームを当該一のＵＥ１００に近接する他のＵＥ１００に割り当てる場合、当該一の上りリンクサブフレームの最後の一定区間の間は上りリンク信号の送信を制限するよう当該一のＵＥ１００に指示する。当該一のＵＥ１００の制御部１３０は、ｅＮＢ２００からの指示に応じて、当該送信制限を行う。
【０１０４】
図１２は、第２実施形態の変更例１に係る動作を説明するための図である。図１２に示すように、ＵＥ１、ＵＥ４、ＵＥ５は近接しており、近接したＵＥからなるＵＥ群１を形成する。また、ＵＥ２、ＵＥ３は近接しており、近接したＵＥからなるＵＥ群２を形成する。ＵＥ群１、ＵＥ群２は、近接していない。例えば、ＵＥ１は、ＵＥ４及びＵＥ５と近接していることを示す近傍ＵＥ通知をｅＮＢ２００に送信する。また、ＵＥ２は、ＵＥ３と近接していることを示す近傍ＵＥ通知をｅＮＢ２００に送信する。ｅＮＢ２００は、近傍ＵＥ通知に基づいて、近接ＵＥ情報（隣接ＵＥ情報）を管理する。
【０１０５】
図１３は、第２実施形態の変更例１に係るｅＮＢ２００におけるスケジューリング動作の一例を示すフロー図である。
【０１０６】
図１３に示すように、ｅＮＢ２００は、現上りリンクサブフレームの割当ＵＥの隣接ＵＥ情報（Ａ）と、現上りリンクサブフレームの割当ＵＥに隣接しないＵＥからなるＵＥ群（Ｂ）の情報と、を読み出す（ステップＳ２０１、Ｓ２０２）。
【０１０７】
ＵＥ群（Ｂ）に上りリンク送信のあるＵＥが含まれる場合（ステップＳ２０３：Ｙｅｓ）、ｅＮＢ２００は、当該上りリンク送信のあるＵＥを、現上りリンクサブフレームの次の上りリンクサブフレームの割当ＵＥとして選択する（ステップＳ２０４）。なお、ｅＮＢ２００は、ＵＥから送信されるスケジューリング要求（ＳＲ）等に応じて、上りリンク送信のあるＵＥを特定することができる。そして、ｅＮＢ２００は、現上りリンクサブフレームの割当ＵＥに対して、ＰＤＣＣＨ上で、下りリンク制御情報（ＤＣＩ）を送信する（ステップＳ２０５）。ここで、ｅＮＢ２００は、割当サブフレームの最後の一定区間の間は上りリンク信号の送信を制限する送信制限（第１実施形態参照）を行わないことを示す「送信許可フラグ」を当該ＤＣＩに含める。
【０１０８】
一方、ＵＥ群（Ｂ）に上りリンク送信のあるＵＥが含まれない場合（ステップＳ２０３：Ｎｏ）、ｅＮＢ２００は、ＵＥ群（Ａ）の中に上りリンク送信のあるＵＥがあるか否かを判断する（ステップＳ２０６）。ＵＥ群（Ａ）の中に上りリンク送信のあるＵＥがある場合（ステップＳ２０６：Ｙｅｓ）、ｅＮＢ２００は、当該上りリンク送信のあるＵＥを、現上りリンクサブフレームの次の上りリンクサブフレームの割当ＵＥとして選択する（ステップＳ２０７）。そして、ｅＮＢ２００は、現上りリンクサブフレームの割当ＵＥに対して、ＰＤＣＣＨ上で、下りリンク制御情報（ＤＣＩ）を送信する（ステップＳ２０８）。ここで、ｅＮＢ２００は、割当サブフレームの最後の一定区間の間は上りリンク信号の送信を制限する送信制限を行うことを示す「送信禁止フラグ」を当該ＤＣＩに含める。
【０１０９】
ＵＥ群（Ａ）の中に上りリンク送信のあるＵＥが含まれない場合（ステップＳ２０６：Ｎｏ）、現上りリンクサブフレームの次の上りリンクサブフレームを割り当てずに、現上りリンクサブフレームの割当ＵＥに対して、ＰＤＣＣＨ上で、下りリンク制御情報（ＤＣＩ）を送信する（ステップＳ２０９）。ここで、ｅＮＢ２００は、割当サブフレームの最後の一定区間の間は上りリンク信号の送信を制限する送信制限を行わないことを示す「送信許可フラグ」を当該ＤＣＩに含める。なお、次の上りリンクサブフレームも連続的に同じＵＥに割り当てる際には、ｅＮＢ２００は、割当サブフレームの最後の一定区間の間は上りリンク信号の送信を制限する送信制限を行わないことを示す「送信許可フラグ」をＤＣＩに含める。
【０１１０】
図１３のフローにおいて、送信許可フラグ又は送信禁止フラグをＰＤＣＣＨ（ＤＣＩ）により送信している。しかしながら、そのような動的なシグナリングに限らず、準静的なシグナリング（例えばＲＲＣシグナリング）を使用してもよい。
【０１１１】
［第２実施形態の変更例２］
上述した第２実施形態において、ｅＮＢ２００は、ＵＥ１００から送信される近傍ＵＥ通知に基づいて隣接ＵＥ情報を管理していた。しかしながら、ｅＮＢ２００は、ＵＥ１００から送信される位置情報（例えばＧＰＳ情報）に基づいて隣接ＵＥ情報を管理してもよい。
【０１１２】
［第３実施形態］
第３実施形態について、第１実施形態及び第２実施形態との相違点を主として説明する。
【０１１３】
第２実施形態の変更例１において、ＵＥ１００は、ｅＮＢ２００からの指示（送信禁止フラグ）に基づいて、割当サブフレームの最後の一定区間の間は上りリンク信号の送信を制限する送信制限（第１実施形態参照）を行っていた。
【０１１４】
これに対し、第３実施形態において、ＵＥ１００は、他のＵＥ１００から受信する無線信号に基づいて、自律的に送信制限を行う。例えば、ＵＥ１００は、他のＵＥ１００から受信する「ＬＴＥ  ｈｅａｄｅｒ」に基づいて、自身の近傍に他のＵＥ１００が存在するか否かを判断する。そして、ＵＥ１００は、自身の近傍に他のＵＥ１００が存在する場合に、上述した送信制限を行う。
【０１１５】
ＵＥ１００は、送信制限を行う場合において、送信制限を行うことをｅＮＢ２００に通知する。例えば、ＵＥ１００は、ｅＮＢ２００への上りリンク信号（データ）に付加する「ＬＴＥ  ｈｅａｄｅｒ」に、送信制限を行うことを示すフラグを含める。或いは、ＵＥ１００は、送信制限を行うことを示すフラグを、ライセンスドバンド（セル＃１）を介してｅＮＢ２００に送信してもよい。これにより、ｅＮＢ２００は、ＵＥ１００からの上りリンク信号を正常に受信（復号）可能となる。
【０１１６】
或いは、ＵＥ１００は、送信制限を行う場合において、割当サブフレームの最後の一定区間内で送信すべき上りリンク信号（データ）を破棄するパンクチャリングを行う。ｅＮＢ２００は、破棄されているデータを誤り訂正復号により復号する。これにより、ｅＮＢ２００は、誤り訂正復号に成功すれば、ＵＥ１００からの上りリンク信号を正常に受信（復号）可能となる。なお、ＵＥ１００が自律的に送信制限を行う場合には、パンクチャリングを行うことが望ましい。これに対し、ｅＮＢ２００からＵＥ１００に送信制限を指示する場合には、パンクチャリングでもよいし、レートマッチングでもよい。
【０１１７】
［第４実施形態］
第４実施形態について、第１実施形態乃至第３実施形態との相違点を主として説明する。
【０１１８】
上述した第１実施形態乃至第３実施形態においては、上りリンクにおけるＬＢＴの方式として主としてＦＢＥ方式を想定していた。これに対し、第４実施形態においては、上りリンクにおけるＬＢＴの方式として、ＦＢＥ方式及びＬＢＥ方式の両方が規定された場合を想定する。
【０１１９】
第４実施形態に係る通信装置（ｅＮＢ２００又はＵＥ１００）は、アンライセンスドバンドのチャネルにおいて無線信号を送信する前にＬＢＴ期間内で当該チャネルの使用状況を観測するＬＢＴが規定された移動通信システムにおいて用いられる。通信装置は、通信相手装置が使用するべきＬＢＴの方式又は自通信装置が使用するべきＬＢＴの方式として、ＦＢＥ及びＬＢＥのうち何れか一方の方式を選択する制御部（制御部２３０又は制御部１３０）を備える。第４実施形態において、通信装置がｅＮＢ２００であり、通信相手装置がＵＥ１００である一例について説明する。第４実施形態において、ｅＮＢ２００の制御部２３０は、アンライセンスドバンドのチャネルの混雑度及び／又はデータの特性に基づいて、ＦＢＥ及びＬＢＥの何れか一方の方式を選択する。
【０１２０】
第４実施形態に係るｅＮＢ２００の送信部２１０は、ＦＢＥ方式及びＬＢＥ方式の何れか一方の方式を指定するＬＢＴ設定情報をＵＥ１００に送信する。ＵＥ１００の受信部１１０は、ＦＢＥ方式及びＬＢＥ方式の何れか一方の方式を指定するＬＢＴ設定情報をｅＮＢ２００から受信する。ＬＢＴ設定情報は、ＲＲＣシグナリング（例えば個別ＲＲＣメッセージ）であってもよいし、物理層のシグナリング（ＤＣＩ）であってもよい。ＵＥ１００の制御部１３０は、ＬＢＴ設定情報に基づいて、上りリンクにおけるＬＢＴの方式を切り替える。
【０１２１】
ＦＢＥ方式及びＬＢＥ方式のそれぞれは、メリット及びデメリットを有する。このため、ＦＢＥ方式及びＬＢＥ方式をＵＥ１００ごと（又はセルごと）に動的に設定可能とすることにより、ＦＢＥ方式及びＬＢＥ方式のそれぞれのメリットを活かすことができる。
【０１２２】
ここで、ＦＢＥ方式のメリットは、実装が容易であり、結果的にＷＬＡＮシステムへの影響が小さくて済むことである。ＦＢＥ方式のデメリットは、ＷＬＡＮシステムに割り込まれ易く、ＬＴＥが弱い（すなわち、ＬＴＥのチャネル占有率が低い）ことである。
【０１２３】
また、ＬＢＥ方式のメリットは、ＬＢＴをサブフレームのどこからでも開始できるため、ＬＴＥが強い（すなわち、ＬＴＥのチャネル占有率が高い）ことである。ＬＢＥ方式のデメリットは、「Ｒｅｓｅｒｖａｔｉｏｎ  Ｃｈａｎｎｅｌ」という帯域を無駄に占有するチャネルが要るので、無線リソースの利用効率が悪いことである。
【０１２４】
図１４は、第４実施形態に係るｅＮＢ２００の動作例１を示すフロー図である。図１４に示すように、ｅＮＢ２００の制御部２３０は、ＵＥ１００に割り当てた上りリンクサブフレームのうち、実際に上りリンク送信に使用された（すなわち、ＬＢＴをパスした）上りリンクサブフレームの割合Ｐを算出する。そして、割合Ｐが閾値（Ｐｔｈ）よりも小さい場合（ステップＳ３０１：Ｙｅｓ）、制御部２３０は、ＵＥ１００にＬＢＥ方式を設定する（ステップＳ３０４、Ｓ３０５）。一方、割合Ｐが閾値（Ｐｔｈ）以上である場合（ステップＳ３０１：Ｎｏ）、制御部２３０は、ＵＥ１００にＦＢＥ方式を設定する（ステップＳ３０２、Ｓ３０３）。
【０１２５】
図１５は、第４実施形態に係るｅＮＢ２００の動作例２を示すフロー図である。図１５に示すように、ｅＮＢ２００の制御部２３０は、ＵＥ１００が上りリンク送信（データ送信）を行うまでに要したＬＢＴ期間（ＣＣＡ期間）の平均値Ｎを算出する。上りリンク送信（データ送信）を行うまでに要したＬＢＴ期間（ＣＣＡ期間）の情報は、例えば「ＬＴＥ  ｈｅａｄｅｒ」によりＵＥ１００からｅＮＢ２００に通知される。そして、平均値Ｎが閾値（Ｎｔｈ）よりも高い場合（ステップＳ３１１：Ｙｅｓ）、制御部２３０は、ＵＥ１００にＬＢＥ方式を設定する（ステップＳ３１４、Ｓ３１５）。一方、平均値Ｎが閾値（Ｎｔｈ）以下である場合（ステップＳ３１１：Ｎｏ）、制御部２３０は、ＵＥ１００にＦＢＥ方式を設定する（ステップＳ３１２、Ｓ３１３）。
【０１２６】
図１６は、第４実施形態に係るｅＮＢ２００の動作例３を示すフロー図である。図１６に示すように、ｅＮＢ２００の制御部２３０は、ＵＥ１００に割り当てた上りリンクサブフレームのうち、実際に上りリンク送信に使用された（すなわち、ＬＢＴをパスした）上りリンクサブフレームの割合Ｐを算出する。割合Ｐが閾値（Ｐｔｈ）よりも小さい場合（ステップＳ３３１：Ｙｅｓ）、制御部２３０は、伝送遅延に制限のあるデータ送信（音声通信など）をＵＥ１００が行っているか否かを判断する（ステップＳ３３２）。伝送遅延に制限のあるデータ送信をＵＥ１００が行っている場合（ステップＳ３３２：Ｙｅｓ）、制御部２３０は、ＵＥ１００にＬＢＥ方式を設定する（ステップＳ３３３）。一方、割合Ｐが閾値（Ｐｔｈ）以上である場合（ステップＳ３３１：Ｎｏ）、又は、伝送遅延に制限のあるデータ送信をＵＥ１００が行っていない場合（ステップＳ３３２：Ｎｏ）、ｅＮＢ２００は、ＵＥ１００にＦＢＥ方式を設定する（ステップＳ３３４）。
【０１２７】
なお、図１４乃至図１６に示す各フローは、ｅＮＢ２００が実行する場合に限らず、ＵＥ１００が実行してもよい。すなわち、ＵＥ１００は、自身が使用するべきＬＢＴの方式として、ＦＢＥ及びＬＢＥのうち何れか一方の方式を自律的に選択する。
【０１２８】
また、第４実施形態に係る動作は、上りリンクに限らず、下りリンクにも応用可能である。この場合、ｅＮＢ２００は、自身が使用するべきＬＢＴの方式として、ＦＢＥ及びＬＢＥのうち何れか一方の方式を自律的に選択してもよい。
【０１２９】
［第４実施形態の変更例１］
第４実施形態の変更例１において、ｅＮＢ２００又はＵＥ１００は、検出した他の通信装置が使用中のＬＢＴの方式（ＦＢＥ／ＬＢＥ）に基づいて、ＦＢＥ及びＬＢＥの何れか一方の方式を選択する。
【０１３０】
ＬＢＥとＦＢＥが混在しているとＦＢＥの方が弱くなることが想定される。よって、ｅＮＢ２００又はＵＥ１００は、周辺の通信装置（周辺のｅＮＢ又はＵＥ）のＦＢＥを検出したら、ＦＢＥを選択することが好ましい。
【０１３１】
なお、各通信装置（各ｅＮＢ又は各ＵＥ）は、自身が使用中のＬＢＴの方式（ＦＢＥ／ＬＢＥ）を例えば「ＬＴＥ  ｈｅａｄｅｒ」に含めて送信してもよい。これにより、一の通信装置が使用中のＬＢＴの方式を、他の通信装置が把握可能となる。
【０１３２】
［第４実施形態の変更例２］
第４実施形態の変更例２において、ｅＮＢ２００又はＵＥ１００は、上りリンク通信の開始に応じて、ＦＢＥを選択する。例えば、ｅＮＢ２００がＵＥ１００に対してアンライセンスドバンドの割り当てを開始したら、ＦＢＥに移行する。或いは、ｅＮＢ２００が上りリンク通信を検知したら、ＦＢＥに移行する。
【０１３３】
［第５実施形態］
第５実施形態を、図１７を用いて以下に説明する。
【０１３４】
同一のアンライセンスドキャリア（免許不要帯域）において、ＵＥは上りリンクでデータを送信し、ｅＮＢは下りリンクにおいてデータを送信する。つまり、同一のアンライセンスドキャリアにおいて、時間に応じて、ＵＥの上りリンクでのデータ送信とｅＮＢの下りリンクでのデータ送信を切換える。
【０１３５】
図１７Ａは、下りリンク（ＤＬ）から上りリンク（ＵＬ）へのトラフィックの切り替えを示す図である。ｅＮＢは、下りリンクのデータをサブフレーム１０において送信する。ｅＮＢは、下りリンクのデータの送信を終了すると、サブフレーム２０（特定サブフレーム）の中からＵＥが上りリンクのデータを送信する。特定サブフレームをＵＥに示す制御信号があってもよい。
【０１３６】
図１７Ｂは、上りリンク（ＵＬ）から下りリンク（ＤＬ）へのトラフィックの切り替えを示す図である。
【０１３７】
ＵＥは、上りリンクのデータをサブフレーム１００において送信し、その後に、ｅＮＢが下りリンクのデータをサブフレーム２００において送信する。ＵＥは、サブフレーム１００において上りリンクのデータの送信を終了した後、上りリンクサブフレームの最後のシンボルを削る（上りリンクデータを送信しない）。これにより、下りリンク（ＤＬ）のＬＢＴ（Ｌｉｓｔｅｎ  Ｂｅｆｏｒｅ  Ｔａｌｋ）のために、ＵＥの上りリンクのデータ送信を抑制する期間５０を設ける。ｅＮＢは、ＵＥの上りリンクデータの送信を抑制する期間５０の中でＬＢＴを行い、その後に下りリンクのデータをサブフレーム２００において送信する。ｅＮＢは、上りリンクのサブフレームの最後のシンボルにおいて、送信を抑制するようＵＥへ指示する。これによって、ｅＮＢのＬＢＴの失敗を低減することができる。
【０１３８】
下りリンクデータの送信（又は上りリンクデータの受信）を抑制する期間５０は、上りリンクデータの送信に用いられるサブフレーム１００の最終シンボルを削除することによって設けられてもよい。又は、この期間５０は、下りリンクデータの送信に用いられるサブフレーム２００の先頭のシンボルを削除することによって設けられてもよい。
【０１３９】
［第６実施形態］
第６実施形態を、図１８を用いて以下に説明する。
【０１４０】
第６実施形態は、一例として、免許不要帯でＬＴＥを活用するＬＡＡ（Ｌｉｃｅｎｓｅ  Ａｓｓｉｓｔｅｄ  Ａｃｃｅｓｓ）において、ｅＮＢが上りリンクのマルチユーザＭＩＭＯのペアとなる２つのＵＥを、各ＵＥからの測定報告に基づいて選択する方法に関する。なお、マルチユーザＭＩＭＯの対象として選択するのは２つのＵＥに限られず３つ以上のＵＥを選択してもよい。
【０１４１】
各ＵＥ１〜３は、周辺のＵＥ及び／又はｅＮＢから送信されるＩｎｉｔｉａｌ  Ｓｉｇｎａｌ（Ｈｅａｄｅｒ）及び／又はＤＲＳを測定する。なお、Ｉｎｉｔｉａｌ  Ｓｉｇｎａｌ（Ｈｅａｄｅｒ）及び／又はＤＲＳは、オペレータ情報（オペレータＩＤ）、セル情報（セルＩＤ）、及びＵＥ情報（ＵＥ  ＩＤ）のうち少なくとも１つを含む。一例として、ｅＮＢから送信されるＩｎｉｔｉａｌ  Ｓｉｇｎａｌ及び／又はＤＲＳは、セル情報を少なくとも含んでもよい。ＵＥから送信されるＩｎｉｔｉａｌ  Ｓｉｇｎａｌ及び／又はＤＲＳは、ＵＥ情報を含んでもよい。ここで、Ｉｎｉｔｉａｌ  Ｓｉｇｎａｌ（Ｈｅａｄｅｒ）及び／又はＤＲＳは、ＵＥ及び／又はｅＮＢから定期的あるいはデータの先頭で送信されてもよい。
【０１４２】
次に、各ＵＥ１〜３は、それぞれのＩｎｉｔｉａｌ  Ｓｉｇｎａｌ（Ｈｅａｄｅｒ）及び／又はＤＲＳの測定結果を測定報告としてｅＮＢ  Ａへ送信する。ここで、各ＵＥは、定期的若しくは所定条件を満たしたとき（一定以上の電力の信号を検出したとき）に、測定報告を行ってもよい。測定報告は、周辺のＵＥ及び／又はｅＮＢのＲＳＳＩ、ＲＳＲＰ及びＲＳＲＱのうちの少なくとも何れか１つを含んでもよい。また、測定報告は、少なくとも各ＵＥ１〜３が検出した周辺のＵＥ及び／又はｅＮＢの情報（ＩＤ）を含んでもよい。
【０１４３】
ここで、ＵＥ１及びＵＥ２の測定結果は、少なくともＵＥ  Ｘの情報及び／又はｅＮＢ  Ｙを示す情報を含む。なお、ＵＥ１及びＵＥ２は、ＵＥ  Ｘ及びｅＮＢ  Ｙが管理するセルのカバレッジエリア内である。
【０１４４】
ｅＮＢ  Ａは、各ＵＥ１〜３から送信された測定報告に基づいて、マルチユーザＭＩＭＯのペアとなる２つのＵＥを選択する。ここでは、ｅＮＢＡは、ＵＥ１及びＵＥ２から送信された測定報告が、互いに同じＵＥ  Ｘの情報及び／又はｅＮＢ  Ｙの情報を含むため、ＵＥ１及びＵＥ２をマルチユーザＭＩＭＯのペアとして選択しない（選択することを禁止する）。また、ｅＮＢ  Ａは、ＵＥ１又は２から送信された測定報告に含まれるＵＥ  Ｘの情報及び／又はｅＮＢ  Ｙの情報がＵＥ３から送信された測定報告には含まれないため、ＵＥｌ又はＵＥ２と、ＵＥ３とをマルチユーザＭＩＭＯのペアとして選択する。
【０１４５】
従って、ｅＮＢ  Ａは、複数のＵＥ１〜３のうち、ＵＥ１〜３の測定結果に含まれるＵＥ  Ｘ及び／又はｅＮＢ  Ｙが重複しないＵＥ１又はＵＥ２と、ＵＥ３とをマルチユーザＭＩＭＯのペアとして選択する。
【０１４６】
また、別の一例として、ＵＥ１の測定結果に含まれるＵＥ及び／又はｅＮＢの情報とＵＥ２の測定結果に含まれるＵＥ及び／又はｅＮＢの情報とが重複する割合よりも、ＵＥ１及び／又はＵＥ２の測定結果に含まれるＵＥ及び／又はｅＮＢの情報とＵＥ３の測定結果に含まれるＵＥ及び／又はｅＮＢの情報とが重複する割合が少ない場合に、ＵＥ１又はＵＥ２と、ＵＥ３とをマルチユーザＭＩＭＯのペアとして選択してもよい。
【０１４７】
なお、第６実施形態では、上りリンクのマルチユーザＭＩＭＯを前提として説明したが、下りリンクのマルチユーザＭＩＭＯに適用してもよい。
【０１４８】
［その他の実施形態］
上述した第１実施形態乃至第３実施形態において、上りリンクサブフレーム（上りリンク送信期間）の最後の一定区間の間は上りリンク信号の送信を制限する送信制限を行っていた。しかしながら、上りリンクサブフレームの最後の一定区間について送信制限を行う場合に限らず、上りリンクサブフレームの最初の一定区間について送信制限を行ってもよい。この場合、ｅＮＢ２００は、上りリンクサブフレームの最初の一定区間について送信制限を行うことをＵＥ１００に指示してもよい。最初の一定区間について送信制限を行うことにより、ｅＮＢ２００が判断するタイミングが遅くなり、ｅＮＢ２００に少し余裕ができる。上りリンクサブフレームの最後の一定区間について送信制限を行う場合には、当該上りリンクサブフレームの次の上りリンクサブフレームの割当について予めスケジューリングしなければならない。最初の一定区間について送信制限を行う場合には、そのようなスケジューリングが不要となる。
【０１４９】
上述した実施形態において、上りリンク送信期間が上りリンクサブフレームである一例を説明した。しかしながら、上りリンク送信期間は上りリンクサブフレームよりも短い期間（例えば、スロット）であってもよい。
【０１５０】
上述した実施形態において、セル＃１（ライセンスドバンド）及びセル＃２（アンライセンスドバンド）を同一のｅＮＢ２００が管理している一例を説明した。しかしながら、セル＃１（ライセンスドバンド）及びセル＃２（アンライセンスドバンド）を異なるｅＮＢ２００が管理する場合にも本発明を適用可能である。
【０１５１】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１５２】
［付記１］
（１．導入）
これまで、ＲＡＮ１での議論は、ＤＬのみのＬＡＡのみにフォーカスしている。本付記では、特にＵＬグラント及びＵＬ  ＬＢＴのためのＵＬ  ＬＡＡの機能を検討する。
【０１５３】
（２．ＵＬグラントについての検討）
図１９はＵＬ送信の遅延の例を示す。図２０は提案するＵＬグラントの例を示す。
【０１５４】
ＵＬ  ＬＡＡにおいて、ＵＥがＵＬ送信の前にＬＢＴを行うべきであると考える。よって、ＵＥは、自身がデータを送信するかの決定のフレキシビリティを持たなければならない。ライセンスドＬＴＥとは異なり、ｅＮＢは、ＵＬ送信の正確なタイミングを制御することができない。図１９において、ＵＬグラントがＵＥに送信された場合のＵＬ送信遅延を示す。この図に示すように、ｅＮＢがＵＬグラントをＵＥに送信した後、ＵＥはＬＢＴ失敗により、要求されたサブフレームにおいて自身のデータを送信することができない。加えて、ｅＮＢが他のＵＬグラントを送信する場合、次のＵＬデータ送信機会は長い時間にわたって発生しないことがあり、ＵＬ  ＬＡＡ送信における長い遅延を引き起こす。
【０１５５】
したがって、我々は、２以上の潜在的なサブフレームを、サービングｅＮＢにより送信される１つのＵＬグラントにおいて示されるデータ送信機会とすることを提案する。
【０１５６】
提案１：２以上の候補サブフレームがＵＬ  ＬＡＡのためのＵＬグラントにおいて示されるべきである。
【０１５７】
加えて、ＵＥのＬＢＴに起因してｅＮＢがＵＥの送信を正確に制御することができないため、我々は、１つのＵＥがＵＬ送信において全体の帯域を占有することをサポートする。そのようなケースにおいて、リソースブロックの周波数位置を示すために用いるＵＬグラントのＤＣＩビットを削除することができ、候補サブフレームのためのビットが追加されるべきである。
【０１５８】
さらに、ＵＬにおいて、ＵＥのＬＢＴに起因して同期（Ｓｙｎｃｈｒｏｎｏｕｓ）ＨＡＲＱを達成することができない。ＨＡＲＱのプロセスＩＤがｅＮＢにより示されることができるか、又は、ＵＥが、それらを自動的に選択し、それらをデータと共にピギーバックすることが可能である。
【０１５９】
提案２：ＵＬ  ＬＡＡにおいて、１つのＵＥが１つのチャネルの全帯域を使用するべきである。
【０１６０】
提案３：リソースブロックの周波数位置を示すために用いるＵＬグラントのＤＣＩビットを削除することができ、候補サブフレームのためのビットが追加されるべきである。
【０１６１】
提案４：非同期（Ａｓｙｎｃｈｒｏｎｏｕｓ）ＨＡＲＱがＵＬ  ＬＡＡにおいてサポートされるべきである。
【０１６２】
（３．ＵＬ  ＬＢＴについての問題）
図２１は２つのＵＥ間の連続する送信の例を示す。
【０１６３】
ここでは、ＵＬ  ＬＢＴに関する他の問題を検討する。図２１に示すように、ｅＮＢが複数のＵＥ（ＵＥ１及びＵＥ２）のための連続するサブフレームを割り当てる場合、一方のＵＥがＬＢＴ失敗を経験し得る。
【０１６４】
よって、我々は、ｅＮＢが、第２のＵＥ（ＵＥ２）との連続する送信の協調のために最後のシンボルを省略するようＵＥ１に示すインディケーションを送信することを提案する。最後のシンボルを省略する必要性が動的に変化するので、インディケーションがＵＬグラントに含められるべきである。
【０１６５】
提案５：ｅＮＢは、最後のシンボルを省略するようＵＥ１に示すインディケーションを送信することが可能であるべきである。
【０１６６】
［付記２］
（導入）
３ＧＰＰ会合においてＵＬ  ＬＡＡが議論された。本付記では、ＵＬ  ＬＡＡ、特にＤＬ／ＵＬ切り替えのための機能の更なる詳細を検討する。
【０１６７】
（ＤＬ／ＵＬ切り替え）
ここでは、ＤＬ及びＵＬのＬＡＡのためのＤＬ及びＵＬの切り替えにフォーカスする。ＤＬ及びＵＬの切り替えのケースにおいて、スペシャルサブフレーム（図２２中の上側）が仕様化されるべきである。スペシャルサブフレームの数は少なくするべきである。一方、ｅＮＢが、ＤＬ及びＵＬ間の切り替えをスケジューリングするフレキシビリティを持つべきである。このアプローチは、現在の仕様の既存ＴＤＤフレーム設定とは異なる。既存のＴＤＤの固定されたＤＬ／ＵＬ設定を適用すると、ｅＮＢは、ＤＬ又はＵＬが送信データを持たない切り替え時間を待たなければならない。図２２はＤＬからＵＬへの切り替え及びＵＬからＤＬへの切り替えを示す。この図に示すように、ＵＬからＤＬへの切り替えのケースにおいて、ＲＡＮ１は、ＵＬ送信の最後にＤＬ  ＬＢＴのためのガード期間を検討するべきである。
【０１６８】
提案：ｅＮＢは、ＤＬからＵＬへの切り替え機会及びＵＬからＤＬへの切り替え機会をスケジューリングするフレキシビリティを持つべきである。
【０１６９】
提案：ＲＡＮ１は、ＵＬ送信の最後にＤＬ  ＬＢＴのためのガード期間を検討するべきである。
【０１７０】
［付記３］
通常のチャネル帯域幅は常に少なくとも５ＭＨｚであるべきである。占有されるチャネル帯域幅は公表された通常のチャネル帯域幅の８０％〜１００％の間であるべきである。スマートアンテナシステム（複数の送信チェーンを有する装置）のケースにおいて、各送信チェーンは、この要求を満たさなければならない。
【０１７１】
このような規制に適合するために、我々は、ＵＥが少なくとも５ＭＨｚ幅の信号を送信するべきであると考える。加えて、送信は５ＭＨｚの倍数で許可されるべきであり、開始周波数位置も５ＭＨｚの倍数であるべきである。２０ＭＨｚがＬＡＡのために利用可能である場合、図２３に示すように４ＵＥを周波数領域において多重化することができる。
【０１７２】
提案１：ＵＬ  ＬＡＡにおいて、ＵＥは、少なくとも５ＭＨｚを使用するべきである。送信は５ＭＨｚの倍数で許可されるべきであり、開始周波数位置も５ＭＨｚの倍数であるべきである。
【０１７３】
（ＭＵ−ＭＩＭＯによる多重化）
図２４はＭＵ−ＭＩＭＯのために適切ではないペアの例を示す。図２５はＭＵ−ＭＩＭＯのための提案する測定報告を示す。
【０１７４】
ここでは、ＭＵ−ＭＩＭＯのための適切なＵＥペアリングを検討する。図２４に示すように、ＵＥ  Ｘ及びｅＮＢ  Ｙが送信を開始すると、ＵＥ１及びＵＥ２はＬＢＴ失敗によりデータを送信することができないので、ＭＵ−ＭＩＭＯのためにＵＥ１及びＵＥ２のペアリングは適切ではない。一方、ＵＥ１及びＵＥ３がペアリングされると、ＵＥ３が送信を行うことができるため、ＭＵ−ＭＩＭＯを用いて成功裏に送信を行うことができる。
【０１７５】
よって、ｅＮＢがＭＵ−ＭＩＭＯのために適切なペアを選択することができるように、いくつかのメカニズムが必要であると考える。１つのアプローチは、ＵＥが、ＬＡＡキャリア上でＵＥにより検出された全ての隣接ＵＥ及びｅＮＢを示す報告をサービングセルに送信することである。上記の例を用いて、全てのＵＥがｅＮＢ  Ａにレポートを送信すると、ｅＮＢ  Ａは、ＵＥ１及びＵＥ２をＭＵ−ＭＩＭＯ伝送のためのペアとして設定しない。
【０１７６】
提案２：ＬＡＡは、ＵＥが、ＬＡＡキャリア上でＵＥにより検出されたＵＥ及びｅＮＢを示す報告をサービングセルに送信することをサポートするべきである。
【０１７７】
［相互参照］
米国仮出願第６２／１３４１６８号（２０１５年３月１７日出願）及び米国仮出願第６２／１４５８８０号（２０１５年４月１０日出願）の全内容が参照により本願明細書に組み込まれている。
【産業上の利用可能性】
【０１７８】
本発明は、通信分野において有用である。
【図１】
2016148244.tif 000003
【図２】
2016148244.tif 000004
【図３】
2016148244.tif 000005
【図４】
2016148244.tif 000006
【図５】
2016148244.tif 000007
【図６】
2016148244.tif 000008
【図７】
2016148244.tif 000009
【図８】
2016148244.tif 000010
【図９】
2016148244.tif 000011
【図１０】
2016148244.tif 000012
【図１１】
2016148244.tif 000013
【図１２】
2016148244.tif 000014
【図１３】
2016148244.tif 000015
【図１４】
2016148244.tif 000016
【図１５】
2016148244.tif 000017
【図１６】
2016148244.tif 000018
【図１７】
2016148244.tif 000019
【図１８】
2016148244.tif 000020
【図１９】
2016148244.tif 000021
【図２０】
2016148244.tif 000022
【図２１】
2016148244.tif 000023
【図２２】
2016148244.tif 000024
【図２３】
2016148244.tif 000025
【図２４】
2016148244.tif 000026
【図２５】
2016148244.tif 000027
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
移動通信システムにおけるユーザ端末であって、
アンライセンスドバンドにおいて、基地局から割り当てられた上りリンクサブフレーム内で上りリンク信号を前記基地局に送信する送信部と、
前記上りリンクサブフレームの最後のシンボルにおける前記上りリンク信号の送信を停止するよう指示する第１の指示を前記基地局から受信する受信部と、
前記第１の指示の受信に応じて、前記上りリンクサブフレームの最後のシンボルの間は前記上りリンク信号の送信を停止する制御部と、
を備えるユーザ端末。
【請求項２】
前記受信部は、前記上りリンクサブフレームの最初の一定区間の間は前記上りリンク信号の送信を停止するよう指示する第２の指示を前記基地局から受信し、
前記制御部は、前記第２の指示の受信に応じて、前記上りリンクサブフレームの最初の一定区間の間は前記上りリンク信号の送信を停止する、請求項１に記載のユーザ端末。
【請求項３】
移動通信システムにおける基地局であって、
アンライセンスドバンドにおいて、前記基地局からユーザ端末に割り当てた上りリンクサブフレーム内で上りリンク信号を前記ユーザ端末から受信する受信部と、
前記上りリンクサブフレームの最後のシンボルにおける前記上りリンク信号の送信を停止するよう指示する第１の指示を前記ユーザ端末に送信する送信部と、
を備える基地局。
【請求項４】
前記送信部は、さらに、前記上りリンクサブフレームの最初の一定区間の間は前記上りリンク信号の送信を停止するよう指示する第２の指示を前記ユーザ端末に送信する、請求項３に記載の基地局。
【請求項５】
移動通信システムにおける通信制御方法であって、
前記基地局が、アンライセンスドバンドにおける上りリンク信号の送信に用いられる上りリンクサブフレームをユーザ端末に割り当てることと、
前記基地局が、前記上りリンクサブフレームの最後のシンボルにおける前記上りリンク信号の送信を停止するよう指示する第１の指示を前記ユーザ端末に送信することと、
前記ユーザ端末が、前記アンライセンスドバンドにおいて、前記上りリンクサブフレーム内で前記上りリンク信号を前記基地局に送信することと、
前記ユーザ端末が、前記第１の指示の受信に応じて、前記上りリンクサブフレームの最後のシンボルの間は前記上りリンク信号の送信を停止することと、を有する通信制御方法。
【請求項６】
前記基地局が、前記上りリンクサブフレームの最初の一定区間の間は前記上りリンク信号の送信を停止するよう指示する第２の指示を前記ユーザ端末に送信することと、
前記ユーザ端末が、前記第２の指示の受信に応じて、前記上りリンクサブフレームの最初の一定区間の間は前記上りリンク信号の送信を停止することと、をさらに有する請求項５に記載の通信制御方法。
【国際調査報告】
2016148244.tif 000028
2016148244.tif 000029
2016148244.tif 000030
2016148244.tif 000031
2016148244.tif 000032
2016148244.tif 000033
2016148244.tif 000034
2016148244.tif 000035
2016148244.tif 000036
2016148244.tif 000037
2016148244.tif 000038
2016148244.tif 000039